(57)【要約】【課題】誤り補正部によって相関検出が周囲の画素情報に対して適切に行われたかどうかを判断することによって、ノイズの少ない補間走査線を生成することが可能な補間画素生成回路を得る。【解決手段】表示装置上を一画素ずつ順に走査される画像情報ＧＤ１を入力し、画像情報を１水平期間遅延した遅延画像情報ＧＤ２を出力するラインメモリ１と、隣接する２走査線間に生成される補間画素を中心として、２走査線上の垂直方向及び斜め方向に対向する画素の画像情報の相関の高い高相関情報ＡＤに対向する２つの画素の画像情報の比較結果に応じて誤判定信号ＣＤを生成し、誤判定信号が生成されない場合に、高相関情報ＡＤに基づき補間画素を生成する補間処理部２と、誤判定信号ＣＤが生成された場合に、補間画素の上下隣接画素の画像情報を用いて補間画素の画像情報を生成する補正処理部３ａとを備える。【選択図】      図１
2004356726.tif 000002
【特許請求の範囲】
【請求項１】
表示装置上を１画素ずつ順に走査される画像情報を入力し、前記画像情報を１水平期間遅延した遅延画像情報を出力するラインメモリと、
隣接する２走査線間に生成される補間走査線上の補間画素を中心として、垂直方向及び斜め方向に対向する前記画像情報のうち、相関の高い前記画素情報を示す高相関情報に対向する画素の前記画像情報の比較結果に応じて誤判定信号を生成し、前記高相関情報に基づき前記補間画素を生成する補間処理部と、
前記誤判定信号に応じて、前記補間画素に隣接する隣接画素の前記画像情報を用いて前記補間画素を生成する補正処理部とを備えることを特徴とする補間画素生成回路。
【請求項２】
前記補間処理部は、
前記隣接する２走査線間に生成される前記補間走査線上の補間画素を中心として、前記２走査線上の垂直方向及び斜め方向に対向する画素の前記画像情報を比較して、相関の高い画素の前記画素情報を高相関情報として検出する相関判定部と、
前記補間画素を中心とする前記高相関情報の垂直方向に対向する２つの対向画素の前記画像情報の比較結果に応じて誤判定信号を生成する誤り補正部と、
前記誤判定情報が生成されない場合には前記高相関情報を出力し、前記生成された場合には前記補間画素に隣接する画素の前記画像情報を用いて前記補間画素の前記画像情報を生成させる補正制御信号を出力する補間部とを備えることを特徴とする請求項１に記載の補間画素生成回路。
【請求項３】
前記誤り補正部は、
前記高相関情報に前記補間画素を中心とし垂直方向に対向する前記２つの対向画素を選択する直交画素選択部と、
前記２つの対向画素のそれぞれの前記画像情報を比較し、相関が高い場合にエッジ信号を出力するエッジ検出部と、
前記エッジ信号が出力されない場合に前記誤判定信号を生成するエッジセレクタ
とを備えることを特徴とする請求項２に記載の補間画素生成回路。
【請求項４】
前記補間画素の周囲に隣接する隣接画素の前記画像情報に対して、前記補間画素の前記画像情報が孤立している場合に孤立点検出情報を生成し、前記孤立点検出情報が生成された場合、前記補正処理部に前記補間画素に隣接する隣接画素を用いて前記補間画素の前記画像情報を生成させる孤立点判定部を更に備えることを特徴とする請求項１に記載の補間画素生成回路。
【請求項５】
前記孤立点検出情報は、前記補間画素の周囲に隣接する隣接画素の前記画像情報の最大値と最小値を検出し、前記最大値及び前記最小値を用いて孤立点検出情報を生成することを特徴とする請求項１に記載の補間画素生成回路。
【請求項６】
前記画像情報及び前記遅延画像情報のいずれかが連続して閾値以上変化しない場合に水平成分検出情報を生成し、前記水平成分検出情報が生成された場合、前記補正処理部に前記補間画素の周囲に隣接する隣接画素の前記画像情報を用いて前記補間画素の前記画像情報を生成させる水平判定部を更に備えることを特徴とする請求項１に記載の補間画素生成回路。
【発明の詳細な説明】
【０００１】
【発明の属する技術分野】
本発明は、補間画素生成回路に係り、特に画素単位の映像情報を順に走査する補間画素生成回路に関する。
【０００２】
【従来の技術】
プラズマディスプレイパネル（ＰＤＰ）や液晶ディスプレイパネル（ＬＣＤ）等の表示装置は、一画素単位の映像情報が表示装置の画面水平方向に順に走査されることによって映像が画面上に表示される。この走査線型表示装置に表示される映像情報の画質を向上させるために、隣接する２つの走査線の間に補間走査線を生成し、走査線を２倍にするディジタル映像信号処理を行う補間画素生成回路が知られている。
【０００３】
補間走査線は、隣接する２つの走査線の垂直方向または斜め方向に対抗成分を比較して相関性の高い成分を検出する。補間走査線の画素情報は、検出された相関性の高い２つの映像信号の平均値として算出される（例えば、特許文献１参照。）。
【０００４】
【特許文献１】
特開２００１−２１８１７０号公報
【０００５】
【発明が解決しようとする課題】
しかし、検出された相関性の高い２つの映像信号の平均値を用いて補間走査線を生成する従来の補間画素生成回路は、誤った判断がなされる場合があった。例えば、最も相関性の高い２つの映像信号が輝度の明るい画素であり、他が輝度の暗い画素である場合、補間走査線の画素として輝度の明るい画素が生成される。他が輝度の暗い画素であるので、補間走査線の画素として生成された輝度の明るい画素はノイズとなってしまう。
【０００６】
本発明の目的は、このような課題を解決し、誤り補正部によって相関検出が周囲の画素情報に対して適切に行われたかどうかを判断することによって、ノイズの少ない補間走査線を生成することが可能な補間画素生成回路を提供することである。
【０００７】
【課題を解決するための手段】
上記目的を達成するために、本発明の態様は、表示装置上を一画素ずつ順に走査される画像情報を入力し、画像情報を１水平期間遅延した遅延画像情報を出力するラインメモリと、隣接する２走査線間に生成される補間画素を中心として、２走査線上の垂直方向及び斜め方向に対向する画素の画像情報の相関の高い画素情報を示す高相関情報に対向する２つの画素の画像情報の比較結果に応じて誤判定信号を生成し、誤判定信号が生成されない場合に、高相関情報に基づき補間画素を生成する補間処理部と、誤判定信号が生成された場合に、補間画素の上下隣接画素の画像情報を用いて補間画素の画像情報を生成する補正処理部とを備えることを特徴とする補間画素生成回路であることを要旨とする。
【０００８】
上記発明によれば、誤り補正部によって相関検出が周囲の画素情報に対して適切に行われたかどうかを判断することによって、ノイズの少ない補間走査線を生成することが可能な補間画素生成回路を提供することができる。
【０００９】
【発明の実施の形態】
次に、図面を参照して本発明の第１〜第３の実施の形態を説明する。以下の図面の記載において、同一または類似の部分には同一または類似の符号を付している。
【００１０】
（第１の実施の形態）
本発明の第１の実施の形態に係る補間画素生成回路は、図１に示すように、画像情報入力端子５０ａを介して画像情報ＧＤ１が入力されるラインメモリ１と、ラインメモリ１の入力側及び出力側のそれぞれに接続された補間処理部２と、補間処理部２の中間補正画素情報出力側及び補正制御信号出力側のぞれぞれに接続された補正処理部３ａとを備える。
【００１１】
補間処理部２は、遅延画像情報入力側がラインメモリ１の出力側に、画像情報入力側がラインメモリ１の入力側に、出力側が補正処理部３ａの入力側にそれぞれ接続された補間部４と、遅延画像情報入力側がラインメモリ１の出力側に、画像情報入力側がラインメモリ１の入力側に接続された相関判定部５と、遅延画像情報入力端子５１ｂがラインメモリ１の出力側に、画像情報入力端子５１ａがラインメモリ１の入力側に、高相関情報入力端子５１ｃが相関判定部５出力側に、誤判定信号出力端子５１ｄが補間部４の誤判定信号入力側にそれぞれ接続された誤り補正部６とを備える。
【００１２】
誤り補正部６は、図２に示すように、画像情報入力端子５１ａ、遅延画像情報入力端子５１ｂ、及び高相関情報入力端子５１ｃのそれぞれに接続された直交画素選択部１０と、直交画素選択部１０の出力側に接続されたエッジ検出部１１と、入力側が高相関情報入力端子５１ｃ及びエッジ検出部１１の出力側に、出力側が誤判定信号出力端子５１ｄにそれぞれ接続されたエッジセレクタ１２とを備える。エッジセレクタ１２は、セレクト信号入力端子からエッジ検出を選択機能を制御するセレクト信号ＳＥＬを入力してもよい。ラインメモリ１は、例えば、図３に示すように、画像情報ＧＤ１を入力する入力制御部１５と、入力制御部１５の出力側に接続されたレジスタＲ１〜Ｒ７と、レジスタＲ１〜Ｒ７の出力側に接続された出力制御部１６とを備える。
【００１３】
第１の実施の形態に係る補間画素生成回路の動作を、図１〜図７を参照しながら説明する。画像情報ＧＤ１は、例えば、８ビット、１０ビット、１６ビット等のシリアルデータとして説明する。画像情報ＧＤ１は、例えば輝度情報や色情報等が考えられる。輝度情報の相関関係が高いとは、輝度レベルが近いことを意味する。色情報の相関関係が高いとは、色差のレベルが近いことを意味する。また、画像情報ＧＤ１は、図４に示すように、例えば、表示装置２０上を映像情報の１行目映像情報Ｌ１、１行目補間映像情報ＭＬ１、２行目映像情報Ｌ２、２行目補間映像情報ＭＬ２、３行目映像情報Ｌ３、・・・・・、第ｎ行目映像情報の順に走査される映像情報の画像情報を表す。映像情報は、表示装置２０の映像表示側から見て左上から右上に水平方向に一画素ずつ順に走査されるとして模式的に説明する。補間映像情報ＭＬ１は、１行目映像情報Ｌ１と、２行目映像情報Ｌ２の間に生成された映像情報である。
【００１４】
更に、図１に示す補間処理部２は、図５に示すように、１行目映像情報Ｌ１上の画像情報Ａ１〜Ａ７、２行目映像情報Ｌ２上の画像情報Ｂ１〜Ｂ７を用いて、補間映像情報ＭＬ１の画像情報を生成するものとして説明する。
【００１５】
（イ）図１に示すラインメモリ１に画像情報入力端子５０ａを介して表示装置上を一画素ずつ順に走査される映像情報に対応する画像情報ＧＤ１が入力される。図３に示した入力制御部１５は、画像情報を順にレジスタＲ１〜Ｒ７に格納する。出力制御部１６は、レジスタＲ１〜Ｒ７に格納されたデータを順に出力する。ここで、ラインメモリ１は、画像情報ＧＤ１を入力し、１水平期間遅延した遅延画像情報ＧＤ２を出力する。
【００１６】
（ロ）画像情報ＧＤ１及び遅延画像情報ＧＤ２は、図１に示した補間部４と、相関判定部５と誤り補正部６にそれぞれ入力される。相関判定部５は、図５に示すように、隣接する２走査線間に生成される補間画素を中心として、垂直方向及び斜め方向に対向する画素の画像情報の相関関係の最も高い画像情報を高相関情報ＡＤとして出力する。具体的には、相関判定部５は、隣接する２走査線間に生成される補間画素を中心として、垂直方向及び斜め方向に対向する画像情報Ａ１と画像情報Ｂ７、画像情報Ａ２と画像情報Ｂ６、画像情報Ａ３と画像情報Ｂ５、画像情報Ａ４と画像情報Ｂ４、画像情報Ａ５と画像情報Ｂ３、画像情報Ａ６と画像情報Ｂ２、及び画像情報Ａ７と画像情報Ｂ１のそれぞれを順に比較し、相関関係の最も高い組合せとなる画像情報を高相関情報ＡＤとして出力する。ここでは、画像情報Ａ３と画像情報Ｂ５が高相関情報ＡＤとして出力される。
【００１７】
（ハ）図２に示す直交画素選択部１０は、補間画素を中心とし高相関情報ＡＤの垂直方向に対向する２つの対応画素を選択する。具体的には、直交画素選択部１０は、図５に示すように、画像情報Ａ１と画像情報Ｂ７とを選択する。図２に示すエッジ検出部１１は、２つの対向画素の画像情報Ａ１と画像情報Ｂ７とを比較し、エッジがある場合にエッジ信号を出力する。例えば、エッジ信号は、２つの対向画素の画像情報Ａ１と画像情報Ｂ７との相関の高さと、高相関情報ＡＤとして選択された画像情報Ａ３と画像情報Ｂ５との相関の高さとを比較し、それぞれの相関の高さが閾値以上の場合に出力される。図５に示すように、相関の高さが閾値以上ある場合には、エッジ信号が出力される。図６に示すように、画像情報Ａ１と画像情報Ｂ７との相関の高さが閾値以上ない場合には、エッジ信号は出力されない。エッジセレクタ１２は、エッジ信号が出力されない場合に誤判定信号ＣＤを生成する。ただし、エッジセレクタ１２は、更にセレクト信号ＳＥＬにより、誤判定信号ＣＤの出力のオン／オフを制御されてもよい。補間部４は、中間補正画素情報ＧＤ３を中間補正画素情報入力端子５２ａに、補正制御信号ＣＳを補正制御信号入力端子５２ｂにそれぞれ出力する。補正制御信号ＣＳは、誤判定信号ＣＤに応じて生成される信号であり、例えば、アナログ信号であってもよいし、「０」と「１」で表される２値化された信号または複数ビットからなるデータであってもよい。
【００１８】
（ニ）図１に示す補正処理部３ａは、画像情報ＧＤ１、遅延画像情報ＧＤ２、及び中間補正画素情報ＧＤ３をそれぞれ入力する。補正制御信号ＣＳが出力された場合に、補正処理部３ａは、補間画素の上下隣接画素の画像情報を用いて補間画素の画像情報を生成する。具体的には、上下隣接画素は、図７に示す補間画素の上下の画像情報Ａ４と画像情報Ｂ４を用いる。図４に示した表示装置に表示される映像情報のそれぞれに対応する画像情報である補正画素情報ＧＤ４を補正画素情報出力端子５２ｃから出力する。
【００１９】
第１の実施の形態に係る補間画素生成回路によれば、誤り補正部によって相関検出が周囲の画素情報に対して適切に行われたかどうかを判断することによって、ノイズの少ない補間走査線を生成することが可能となる。
【００２０】
（第２の実施の形態）
本発明の第２の実施の形態に係る補間画素生成回路は、図８に示すように、図１に示した補間画素生成回路に更に孤立点判定部７を備える。孤立点判定部７は、ラインメモリ１の入力側に接続された画像情報入力端子５３ａと、ラインメモリ１の出力側に接続された遅延画像情報入力端子５３ｂと、補間処理部２の出力側に接続された中間補正画素情報入力端子５３ｃと、孤立点判定情報出力端子５３ｄとを有する。孤立点判定情報出力端子５３ｄは、補正処理部３ｂの孤立点判定情報入力端子５２ｄに接続される。孤立点判定部７は、例えば、図９に示すように、画像情報入力端子５３ａ、遅延画像情報入力端子５３ｂ及び中間補正画素情報入力端子５３ｃのそれぞれに接続された最大値検出部３０と、遅延画像情報入力端子５３ｂ及び中間補正画素情報入力端子５３ｃのそれぞれに接続された最小値検出部３１と、最大値検出部３０及び最小値検出部３１のそれぞれの出力側に接続された比較器３２とを備える。比較器３２の出力側は、孤立点判定情報出力端子５３ｄに接続されている。他は第１の実施の形態と実質的に同様であるので、重複した記載を省略する。
【００２１】
第２の実施の形態に係る補間画素生成回路は、隣接する２走査線間に生成される補間画素を中心として、２走査線上の垂直方向及び斜め方向に対向する画素の画像情報の相関の高い高相関情報ＡＤに対向する２つの画素の画像情報の比較結果に応じて誤判定信号ＣＤを生成する。誤判定信号ＣＤは、補正制御信号ＣＳとして補間処理部２から補正処理部３ｂへ出力される。補正処理部３ｂは、補正制御信号ＣＳが生成されない場合に高相関情報ＡＤに基づき補間画素を生成する。具体的には、画像情報Ａ１と画像情報Ｂ７が高相関情報ＡＤとして選択される。
【００２２】
一方、図８に示す孤立点判定部７は、画像情報ＧＤ１、遅延画像情報ＧＤ２、及び中間補正画素情報ＧＤ３を入力する。図９に示す最大値検出部３０は、画像情報ＧＤ１、遅延画像情報ＧＤ２、及び中間補正画素情報ＧＤ３の中から画像情報のレベルが最大の最大画像情報を検出する。最小値検出部３１は、画像情報ＧＤ１、遅延画像情報ＧＤ２、及び中間補正画素情報ＧＤ３の中から画像情報のレベルが最小の最小画像情報を検出する。比較器３２は、検出された最大画像情報及び最小画像情報と補間画素の画像情報とを比較する。補間画素と最大画像情報及び最小画像情報との値が閾値以上ある場合に、比較器３２は、孤立点検出情報ＩＳを出力する。
【００２３】
具体的には、図１０に示すように、隣接エリア７０で示される範囲の画素Ａ３〜Ａ５、Ｂ３〜Ｂ５の画像情報と補間画素の画像情報の比較結果が閾値以下である場合には、孤立点検出情報ＩＳは生成されない。図１１に示すように、隣接エリア７０で示される範囲の画素Ａ３〜Ａ５、Ｂ３〜Ｂ５の画像情報と補間画素の画像情報の比較結果が閾値以上である場合に、孤立点検出情報ＩＳが生成される。  孤立点検出情報ＩＳは、孤立点判定情報出力端子５３ｄから孤立点判定情報入力端子５２ｄに出力される。孤立点検出情報ＩＳが孤立点判定情報入力端子５２ｄに入力されると、補正処理部３ｂは、補間画素の上下隣接画素の画像情報を用いて補間画素の画像情報を生成する。具体的には、図１２に示す補間画素の上下の画像情報Ａ４と画像情報Ｂ４を用いる。図４に示した表示装置に表示される映像情報のそれぞれに対応する画像情報である補正画素情報ＧＤ４を出力する。
【００２４】
第２の実施の形態に係る補間画素生成回路によれば、誤り補正部によって相関検出が周囲の画素情報に対して適切に行われたかどうかを判断することによって、ノイズの少ない補間走査線を生成することが可能となる。また、第２の実施の形態に係る補間画素生成回路は、孤立点判定部７によって孤立点を検出し、孤立点がある場合に孤立点検出情報ＩＳを生成する。孤立点検出情報ＩＳが出力された場合、上下隣接画素情報を用いて補間画素の画像情報を生成することで、図１で示した補間画素生成回路よりもノイズの少ない補間走査線を生成することが可能となる。
【００２５】
（第３の実施の形態）
本発明の第３の実施の形態に係る補間画素生成回路は、図１３に示すように、図１に示した補間画素生成回路に更に水平判定部８を備える。水平判定部８は、ラインメモリ１の入力側に接続された画像情報入力端子５４ａと、ラインメモリ１の出力側に接続された遅延画像情報入力端子５４ｂと、水平成分検出情報出力端子５４ｃとを有する。水平成分検出情報出力端子５４ｃは、補正処理部３ｃの水平成分検出情報入力端子５２ｅに接続される。水平判定部８は、例えば、図１４に示すように、画像情報入力端子５４ａに接続された第１の水平低域判定部４０と、遅延画像情報入力端子５４ｂに接続された第２の水平低域判定部と、第１の水平低域判定部４０及び第２の水平低域判定部４１のそれぞれの出力側に接続された比較器４２とを備える。比較器４２の出力側は、水平成分検出情報出力端子５４ｃに接続されている。第１の水平低域判定部４０は、例えば、図１５に示すように、入力側が画像情報入力端子５４ａに接続された平均値算出部６０と、第１の入力端子が平均値算出部６０の出力側に、第２の入力端子が画像情報入力端子５４ａにそれぞれ接続された比較器６１と、比較器６１の出力端子に接続されたカウンタ６２とを備える。第２の水平低域判定部４１は、第１の水平低域判定部４０と同様であるとして説明する。他は第１の実施の形態と実質的に同様であるので、重複した記載を省略する。
【００２６】
第３の実施の形態に係る補間画素生成回路は、隣接する２走査線間に生成される補間画素を中心として、２走査線上の垂直方向及び斜め方向に対向する画素の画像情報の相関が高い高相関情報ＡＤに対向する２つの画素の画像情報の比較結果に応じて誤判定信号ＣＤを生成する。誤判定信号ＣＤは、補正制御信号ＣＳとして補間処理部２から補正処理部３ｃへ出力される。補正処理部３ｃは、補正制御信号ＣＳが生成されない場合に高相関情報ＡＤに基づき補間画素を生成する。
具体的には、画像情報Ａ１と画像情報Ｂ７が高相関情報ＡＤとして選択される。
【００２７】
一方、図１３に示す水平判定部８は、画像情報ＧＤ１、遅延画像情報ＧＤ２を入力する。図１４に示す第１の水平低域判定部４０は、画像情報ＧＤ１が連続して変化しない場合に第１の水平検出信号ＪＳ１を比較器４２に出力する。第２の水平低域判定部４１は、遅延画像情報ＧＤ２が連続して変化しない場合に第２の水平検出信号ＪＳ２を比較器４２に出力する。比較器４２は、第１の水平検出信号ＪＳ１及び第２の水平検出信号ＪＳ２のいずれかが出力されると、水平成分検出情報ＨＳを水平成分検出情報出力端子５４ｃから出力する。水平成分検出情報ＨＳは、図１６に示すように、水平検出エリア８０で示される範囲の画素Ａ３〜Ａ９が連続して変化しない場合に生成される。水平検出エリア８１で示される範囲の画素Ｂ３〜Ｂ９が連続して変化しない場合にも生成されるとしてもよい。
【００２８】
具体的には、図１５に示す平均値算出部６０は、順に走査される画像情報Ａ０と画像情報Ａ１の平均値を算出し、画像情報Ａ０と比較する。比較結果はカウンタ６２に入力されカウントアップされる。カウンタ６２のカウント値が設定回数に達すると第１の水平検出信号ＪＳ１が出力される。第２の水平低域判定部４１も第１の水平低域判定部４０と同様に動作し、第２の水平検出信号ＪＳ２を出力する。
【００２９】
水平成分検出情報ＨＳは、水平成分検出情報出力端子５４ｃから水平成分検出情報入力端子５２ｅに出力される。水平成分検出情報ＨＳが水平成分検出情報入力端子５２ｅに入力されると、補正処理部３ｃは、補間画素の上下隣接画素の画像情報を用いて補間画素の画像情報を生成する。具体的には、図１７に示す補間画素Ｍ３の画像情報は、上下隣接画素である画像情報Ａ４と画像情報Ｂ４を用いて生成される。水平成分として検出された補間画素Ｍ４〜Ｍ９の画像情報も同様に、それぞれの上下隣接画素を用いて生成される。補正処理部３ｃは、図４に示した表示装置に表示される映像情報のそれぞれに対応する画像情報である補正画素情報ＧＤ４を出力する。
【００３０】
水平判定部８は、画像情報ＧＤ１及び遅延画像情報ＧＤ２のいずれかが連続して閾値以上変化しない場合に水平成分検出情報を生成すると説明しているが、これに限定されず、画像情報ＧＤ１及び遅延画像情報ＧＤ２の偏差値を算出し、偏差値の算出結果に応じて水平成分検出情報を生成するとしてもよい。また、誤り補正部がない場合にも、水平判定部のみを用いて補間画素を生成してもよい。
【００３１】
第３の実施の形態に係る補間画素生成回路によれば、誤り補正部によって相関検出が周囲の画素情報に対して適切に行われたかどうかを判断することによって、ノイズの少ない補間走査線を生成することが可能となる。また、第３の実施の形態に係る補間画素生成回路は、水平判定部８によって水平線分の画素の画像情報が変動しているかを検出し、変動がない場合に水平成分検出情報ＨＳを生成する。水平成分検出検出情報ＨＳが出力された場合、上下隣接画素情報を用いて補間画素の画像情報を生成することで、図１で示した補間画素生成回路よりもノイズの少ない補間走査線を生成することが可能となる。
【００３２】
（その他の実施の形態）
上記のように、本発明は第１〜第３の実施の形態によって記載したが、この開示の一部をなす論述及び図面はこの発明を限定するものであると理解すべきではない。この開示から当業者には様々な代替実施の形態、実施例及び運用技術が明らかとなろう。
【００３３】
既に述べた第１〜第３の実施の形態の説明においては、補正処理部３ａ〜３ｃは、上下隣接画素情報を用いて補間画素の画像情報を生成するとして説明しているが、図１０で示した隣接エリア７０の画像情報の平均値を補間画素の画像情報とすることが可能である。
【００３４】
既に述べた第１〜第３の実施の形態の説明においては、補間走査線は、隣接する２走査線間に生成されると説明しているが、これに限定されず、複数の走査線の用いて補間走査線を生成してもよい。
【００３５】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【００３６】
【発明の効果】
本発明によれば、誤り補正部によって相関検出が周囲の画素情報に対して適切に行われたかどうかを判断することによって、ノイズの少ない補間走査線を生成することが可能な補間画素生成回路を提供することができる。
【図面の簡単な説明】
【図１】本発明の第１の実施の形態に係る補間画素生成回路を説明する図である。
【図２】本発明の第１の実施の形態に係る補間画素生成回路の誤り補正部を説明する図である。
【図３】本発明の第１の実施の形態に係る補間画素生成回路で用いられるラインメモリを説明する図である。
【図４】本発明の第１の実施の形態に係る補間画素生成回路を用いた表示装置を説明する図である。
【図５】本発明の第１の実施の形態に係る補間画素生成回路の動作を説明する図である。
【図６】本発明の第１の実施の形態に係る補間画素生成回路の動作を説明する図である。
【図７】本発明の第１の実施の形態に係る補間画素生成回路の動作を説明する図である。
【図８】本発明の第２の実施の形態に係る補間画素生成回路を説明する図である。
【図９】本発明の第２の実施の形態に係る補間画素生成回路の孤立点判定部を説明する図である。
【図１０】本発明の第２の実施の形態に係る補間画素生成回路を説明する図である。
【図１１】本発明の第２の実施の形態に係る補間画素生成回路を説明する図である。
【図１２】本発明の第２の実施の形態に係る補間画素生成回路の動作を説明する図である。
【図１３】本発明の第３の実施の形態に係る補間画素生成回路を説明する図である。
【図１４】本発明の第３の実施の形態に係る補間画素生成回路の水平判定部を説明する図である。
【図１５】本発明の第３の実施の形態に係る補間画素生成回路の第１の水平低域判定部を説明する図である。
【図１６】本発明の第３の実施の形態に係る補間画素生成回路の動作を説明する図である。
【図１７】本発明の第３の実施の形態に係る補間画素生成回路の動作を説明する図である。
【符号の説明】
１…ラインメモリ
２…補間処理部
３ａ〜３ｃ…補正処理部
４…補間部
５…相関判定部
６…補正部
７…孤立点判定部
８…水平判定部
１０…直交画素選択部
１１…エッジ検出部
１２…エッジセレクタ
１５…入力制御部
１６…出力制御部
２０…表示装置
３０…最大値検出部
３１…最小値検出部
３２、４２…比較器
４０…第１の水平低域判定部
４１…第２の水平低域判定部
５０ａ…画像情報入力端子
５１ａ…画像情報入力端子
５１ｂ…遅延画像情報入力端子
５１ｃ…高相関情報入力端子
５１ｄ…誤判定信号出力端子
５２ａ…中間補正画素情報入力端子
５２ｂ…補正制御信号入力端子
５２ｃ…補正画素情報出力端子
５２ｄ…孤立点判定情報入力端子
５２ｅ…水平成分検出情報入力端子
５３ａ…画像情報入力端子
５３ｂ…遅延画像情報入力端子
５３ｃ…中間補正画素情報入力端子
５３ｄ…孤立点判定情報出力端子
５４ａ…画像情報入力端子
５４ｂ…遅延画像情報入力端子
５４ｃ…水平成分検出情報出力端子
６０…平均値算出部
６１…比較器
６２…カウンタ
７０…隣接エリア
８０…水平検出エリア
８１…水平検出エリア
【図１】
2004356726.tif 000003
【図２】
2004356726.tif 000004
【図３】
2004356726.tif 000005
【図４】
2004356726.tif 000006
【図５】
2004356726.tif 000007
【図６】
2004356726.tif 000008
【図７】
2004356726.tif 000009
【図８】
2004356726.tif 000010
【図９】
2004356726.tif 000011
【図１０】
2004356726.tif 000012
【図１１】
2004356726.tif 000013
【図１２】
2004356726.tif 000014
【図１３】
2004356726.tif 000015
【図１４】
2004356726.tif 000016
【図１５】
2004356726.tif 000017
【図１６】
2004356726.tif 000018
【図１７】
2004356726.tif 000019